(57)【要約】本発明は、（１）３次元的に液体を収容し得る微小な液体収容部をその開口部が同一平面状に配置されるように２次元的に多数配置してなり、そこにおいて予め光マーカー物質を標識された標的核酸と前記核酸プローブとの間でハイブリダイゼーション反応を行うためのＤＮＡマイクロアレイ；および（２）上記（１）に記載のＤＮＡマイクロアレイを支持するステージと、該ＤＮＡマイクロアレイの温度を調節するための温度調節部と、該ＤＮＡマイクロアレイからの光学的信号を撮像するための撮像手段とを備えた顕微鏡；を具備する遺伝子検査装置に関する。
2003027673.tif 000002
【特許請求の範囲】
【請求項１】
コンピュータを利用した遺伝子検査装置であって、
（１）３次元的に液体を収容し得る微小な液体収容部をその開口部が同一平面状に配置されるように２次元的に多数配置してなり、そこにおいて予め光マーカー物質を標識された標的核酸と前記核酸プローブとの間でハイブリダイゼーション反応を行うためのＤＮＡマイクロアレイ；および
（２）上記（１）に記載のＤＮＡマイクロアレイを支持するステージと、該ＤＮＡマイクロアレイの温度を調節するための温度調節部と、該ＤＮＡマイクロアレイからの光マーカー物質に由来する光学的信号を撮像するための撮像手段とを備えた顕微鏡；
を具備する装置。
【請求項２】
請求項１に記載のコンピュータを利用した遺伝子検査装置であって、前記ＤＮＡマイクロアレイが、分岐した構造のチャネルを有する多孔質膜を具備し、前記多孔質膜のチャネルの内壁には核酸プローブが固定されていることを特徴とする装置。
【請求項３】
請求項１に記載のコンピュータを利用した遺伝子検査装置であって、更に、
（ａ）前記遺伝子検査装置を総括的に制御するコンピュータに対してオペレーターが情報を入力するための入力部；および
（ｂ）前記撮像手段により撮像された画像を表示するための表示部；
を具備する装置。
【請求項４】
請求項１に記載のコンピュータを利用した遺伝子検査装置であって、更に、前記撮像手段により撮像された画像から前記プローブスポット毎に光学的信号の強度を求める画像処理部を具備する装置。
【請求項５】
請求項１に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（２）のＤＮＡマイクロアレイについて所望の条件下でハイブリダイゼーション反応を行うこと；
（４）上記（３）で得られたＤＮＡマイクロアレイについて光マーカー物質に由来する光学的信号の強度を測定すること；
（５）上記（４）で得られた強度を基に、発現遺伝子量の判定および／または突然変異遺伝子の有無の判定を行うことにより遺伝子検査の結果を得ること；
を具備する方法。
【請求項６】
請求項１に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（１）のＤＮＡマイクロアレイについて所望の条件下でハイブリダイゼーション反応を行うこと；
（４）上記（３）の反応が終了した後に、ＤＮＡマイクロアレイに含まれる溶液を当該アレイの下部に留めさせること；
（５）上記（４）で得られたＤＮＡマイクロアレイについて光マーカー物質に由来する光信号の強度を測定すること；
（６）上記（４）で当該アレイの下部に溜めた液体を再度撹拌すること；
（７）上記（６）のＤＮＡマイクロアレイについて必要に応じ所望の条件下でハイブリダイゼーション反応を繰り返すこと；
（８）上記（６）で得られたＤＮＡマイクロアレイについて光信号の強度を測定すること；
（９）上記（４）および（８）で得られた光信号の強度を基に、発現遺伝子量の判定および／または突然変異遺伝子の有無の判定を行うことにより遺伝子検査の結果を得ること；
を具備する方法。
【請求項７】
請求項５に記載の方法であって、更に、前記（４）で得られた光信号の強度を基に、発現遺伝子量の判定および／または突然変異遺伝子の有無の判定して得られた情報を、データベースに開示される公知の遺伝子情報および／または標準試料から得られた情報と比較することにより遺伝子検査の結果を得ることを具備する方法。
【請求項８】
請求項６に記載の方法であって、前記（５）から（８）の操作を２回以上繰り返して行うことを特徴とする方法。
【請求項９】
コンピュータを利用した遺伝子検査装置であって、
（１）３次元的に液体を収容し得る微小な液体収容部をその開口部が同一平面状に配置されるように２次元的に多数配置してなり、そこにおいて予め光マーカー物質を標識された標的核酸と前記核酸プローブとの間でハイブリダイゼーション反応を行うためのＤＮＡマイクロアレイ；
（２）上記（１）に記載のＤＮＡマイクロアレイを支持するステージと、該ＤＮＡマイクロアレイの温度を調節するための温度調節部と、該ＤＮＡマイクロアレイからの光学的信号を撮像するための撮像手段を備えた顕微鏡；および
（３）上記（２）に記載の顕微鏡のステージに配置されたＤＮＡマイクロアレイに接続され、該ＤＮＡマイクロアレイ中の流体を出し入れするための流体輸送部；
を具備する装置。
【請求項１０】
請求項９に記載のコンピュータを利用した遺伝子検査装置であって、前記ＤＮＡマイクロアレイが、分岐した構造のチャネルを有する多孔質膜を具備し、前記多孔質膜のチャネルの内壁には核酸プローブが固定されていることを特徴とする装置。
【請求項１１】
請求項９に記載のコンピュータを利用した遺伝子検査装置であって、更に、
（ａ）前記遺伝子検査装置を総括的に制御するコンピュータに対してオペレーターが情報を入力するための入力部；および
（ｂ）前記撮像手段により撮像された画像を表示するための表示部；
を具備する装置。
【請求項１２】
請求項９に記載のコンピュータを利用した遺伝子検査装置であって、更に、前記撮像手段により撮像された画像から前記プローブスポット毎に光信号の強度を求める画像処理部を具備する装置。
【請求項１３】
請求項９に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（２）のＤＮＡマイクロアレイについて所望の条件下でハイブリダイゼーション反応を行うこと；
（４）上記（３）で得られたＤＮＡマイクロアレイについて光マーカー物質に由来する光信号の強度を測定すること；
（５）上記（４）で得られた光信号の強度を基に、発現遺伝子量の判定および／または突然変異遺伝子の有無の判定を行うことにより遺伝子検査の結果を得ること；
を具備する方法。
【請求項１４】
請求項９に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（１）のＤＮＡマイクロアレイについて所望の条件下でハイブリダイゼーション反応を行うこと；
（４）上記（３）の反応が終了した後に、ＤＮＡマイクロアレイに含まれる溶液を当該アレイの下部に留めさせること；
（５）上記（４）で得られたＤＮＡマイクロアレイについて光マーカー物質に由来する光信号の強度を測定すること；
（６）上記（４）で当該アレイの下部に溜めた液体を再度撹拌すること；
（７）上記（６）のＤＮＡマイクロアレイについて必要に応じ所望の条件下でハイブリダイゼーション反応を繰り返すこと；
（８）上記（６）で得られたＤＮＡマイクロアレイについて光マーカー物質に由来する光信号の強度を測定すること；
（９）上記（４）および（８）で得られた光信号の強度を基に、発現遺伝子量の判定および／または突然変異遺伝子の有無の判定を行うことにより遺伝子検査の結果を得ること；
を具備する方法。
【請求項１５】
請求項１３に記載の方法であって、更に、前記（４）で得られた光信号の強度を基に、発現遺伝子量の判定および／または突然変異遺伝子の有無の判定して得られた情報を、データベースに開示される公知の遺伝子情報および／または標準試料から得られた情報と比較することにより遺伝子検査の結果を得ることを具備する方法。
【請求項１６】
請求項１４に記載の方法であって、前記（５）から（８）の操作を２回以上繰り返して行うことを特徴とする方法。
【請求項１７】
コンピュータを利用した遺伝子検査装置であって、
（１）３次元的に液体を収容し得る微小な液体収容部を、その開口部が同一平面状に配置されるように２次元的に多数配置してなり、そこにおいて予め光マーカー物質を標識された標的核酸と前記核酸プローブとの間でハイブリダイゼーション反応を行うためのＤＮＡマイクロアレイ；
（２）上記（１）に記載のＤＮＡマイクロアレイを支持するステージと、該ＤＮＡマイクロアレイの温度を調節するための温度調節部と、該ＤＮＡマイクロアレイからの光学的信号を撮像するための撮像手段とを備えた顕微鏡；
（３）上記（２）に記載の顕微鏡のステージに配置されたＤＮＡマイクロアレイに接続され、該ＤＮＡマイクロアレイ中の流体を出し入れするための流体輸送部；
（４）以下を記憶する記憶部；
（ａ）上記（２）の温度調節部と上記（３）の液体輸送部とを含む、該装置に含まれる全ての部分を制御しながら上記（１）のＤＮＡマイクロアレイにおいて反応を実行させ、それにより得られる結果を処理するための手順および条件を示すプログラムと、
（ｂ）上記（１）の核酸プローブの種類と該ＤＮＡマイクロアレイ中での座標が対応させられているスコアテーブルと；
（５）上記（４）の記憶部に記憶されるプログラムに従って、（１）のＤＮＡマイクロアレイに対しての該装置の稼働を上記（２）から（３）の各部を制御し、それによって総括的に装置全体を制御する主制御部；
（６）上記（４）の記憶部に含まれるプログラムに従って、上記（５）の主制御部の制御の基に行われた反応後に、上記（２）に記載の撮像手段により撮像された画像を処理し、前記プローブスポット毎に光信号の強度を求める画像処理部；並びに
（７）上記（４）の記憶部に記憶されたスコアテーブルを検索し、上記（６）の画像処理部により求められた座標における光信号の強度に対応するデータを、遺伝子検査の判定結果として出力するための出力部；
を具備する装置。
【請求項１８】
請求項１７に記載のコンピュータを利用した遺伝子検査装置であって、前記ＤＮＡマイクロアレイが、分岐した構造のチャネルを有する多孔質膜を具備し、前記多孔質膜のチャネルの内壁には核酸プローブが固定されていることを特徴とする装置。
【請求項１９】
請求項１７に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（２）のＤＮＡマイクロアレイについて所望の条件下でハイブリダイゼーション反応を行うこと；
（４）上記（３）で得られたＤＮＡマイクロアレイについて光マーカー物質に由来する光信号の強度を測定すること；
（５）上記（４）で得られた光信号の強度を基に、発現遺伝子量の判定および／または突然変異遺伝子の有無の判定を行うことにより遺伝子検査の結果を得ること；
を具備する方法。
【請求項２０】
請求項１７に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（１）のＤＮＡマイクロアレイについて所望の条件下でハイブリダイゼーション反応を行うこと；
（４）上記（３）の反応が終了した後に、ＤＮＡマイクロアレイに含まれる溶液を当該アレイの下部に留めさせること；
（５）上記（４）で得られたＤＮＡマイクロアレイについて光マーカー物質に由来する光信号の強度を測定すること；
（６）上記（４）で当該アレイの下部に溜めた液体を再度撹拌すること；
（７）上記（６）のＤＮＡマイクロアレイについて必要に応じ所望の条件下でハイブリダイゼーション反応を繰り返すこと；
（８）上記（６）で得られたＤＮＡマイクロアレイについて光信号の強度を測定すること；
（９）上記（４）および（８）で得られた光信号の強度を基に、発現遺伝子量の判定および／または突然変異遺伝子の有無の判定を行うことにより遺伝子検査の結果を得ること；
を具備する方法。
【請求項２１】
請求項１９に記載の方法であって、更に、前記（４）で得られた光信号の強度を基に、発現遺伝子量の判定および／または突然変異遺伝子の有無の判定して得られた情報を、データベースに開示される公知の遺伝子情報および／または標準試料から得られた情報と比較することにより遺伝子検査の結果を得ることを具備する方法。
【請求項２２】
請求項２０に記載の方法であって、前記（５）から（８）の操作を２回以上繰り返して行うことを特徴とする方法。
【発明の詳細な説明】
技術分野
本発明は、遺伝子の発現レベルおよび突然変異の有無を検出するための装置、並びにそれを用いた標的核酸の検出方法に関する。
背景技術
近年の遺伝子解析技術の進歩に伴い、ヒトを含む多くの生物における遺伝子配列が明らかにされてきた。また、解析された遺伝子産物と疾病の因果関係も少しずつ解明されている。
現在用いられている遺伝子検査方法は、生体試料から核酸を抽出する工程、ＰＣＲ法およびＮＡＳＢＡ法などの核酸増幅方法を用いて検査対象となる標的遺伝子を増幅する工程、核酸を放射性同位元素（以下、ＲＩと記す）または蛍光分子等の標識物質によって標識する工程、標識された標的遺伝子の塩基配列またはその濃度を測定する工程から構成されている。
最近では、蛍光標識された核酸と、複数のキャピラリーを用いることにより、高速に多数のサンプルを処理できるようなキャピラリ電気泳動装置も数多く用いられている。これにより、従来の電気泳動装置などを用いた方法に比べて、多数のサンプルについての解析がそれまでの三分の１から四分の１程度の時間で行えるようになっている。
また近年、ＤＮＡチップを用いて、同時に複数の遺伝子について検査するための検査方法も開発された。ＤＮＡチップは、ガラス基板の表面に多数のｃＤＮＡプローブを固定化することにより製造されたり、半導体製造過程を利用してシリコン上の微小な領域に多数のオリゴプローブを合成して製造される。何れの製造方法により作られたＤＮＡチップも、サンプル中に含まれる複数種類の標的配列の存在を同時に同時に決定することが出来る。ＤＮＡチップを使用することによって、多くの種類の遺伝子の発現量や複数の突然変異の解析を短時間に行うことが可能となった。更に、ＤＮＡチップを用いて得られたデータから、多くの遺伝子を複数のグループに分類したり（即ち、クラスタリング）、発生や分化に伴う遺伝子の変動に関する情報も得られている。このようにして得られた遺伝子情報は、インターネットを介し、容易にアクセス可能なデータベースとして利用されている。
一般的に、遺伝子の発現量の検査および突然変異の解析には、電気泳動法やマイクロアレイ法が用いられている。電気泳動法では、検査に長い時間が必要とされ、一度に行える検査の種類も限られる。一方、ＤＮＡチップを用いた遺伝子解析方法では、一度に多数の検査を行える反面、検査時間が長く必要とされ、また、全体としての検査工程が多く、煩雑な操作が必要である。そのために再現性のよい分析結果が得られないことが欠点である。こうした欠点を克服するために、再現性がよく、且つ短時間でＤＮＡチップと同様の検査を行うことを目的とした方法、例えば、ＤＮＡチップの担体として多孔質のフィルタを用いた方法（特表平９−５０４８６４、特表平２０００−５１５２５１）、ハイブリダイゼーション反応を電気的な力によって強制的に行う方法などが開発されている（特表平２００１−５０１３０１）。このような方法では、ＲＩを使用したり、或いはメンブランフィルタを必要とするなどが欠点である。また、電気的な力によって強制的にハイブリダイゼーションを行う方法では、チップの中の電圧を厳密に制御する機構などを設ける必要がある。そのため、これらの方法では、短時間に且つ簡便に遺伝子の検査を行いたいという臨床検査における要求に応えることはできない。
また、癌、糖尿病または高血圧などのように、複数の遺伝子異常と環境要因が重ね合わさって発症するような多因子性の疾患では、複数の遺伝子の異常を多面的に解析すること、更に外部の環境要因を分析することによって、より正確な診断が行えると考えられる。また、実際の化学的な治療に当たっては、薬の副作用を避け、且つ治療効果を向上するために、投与する薬剤に対する感受性（これは、体質とも解釈される）を予め正確に判定しておく必要もある。更に、Ｐ５３遺伝子等を用いた高度な遺伝子治療を行うに当たっては、予め、患者の体内の癌遺伝子および／または癌抑制遺伝子等の発現量、突然変異の有無、或いは細胞の情報伝達の状態などの遺伝子情報を正確に解析しておく必要がある。
以上のような状況において、現在、簡便且つ短時間に複数の遺伝子を検査することの出来る遺伝子検査システムの開発が望まれている。
本明細書において開示される全ての引用文献および特許公報は、引用することによりここに組み込まれる。
発明の開示
本発明の目的は、簡便に、且つ短時間で複数の遺伝子を検査することの出来る遺伝子検査装置およびそれを用いた標的核酸検出方法を提供することである。
本発明の１つの側面である第１の態様に従うと、
コンピュータを利用した遺伝子検査装置であって、
（１）３次元的に液体を収容し得る微小な液体収容部をその開口部が同一平面状に配置されるように２次元的に多数配置してなり、そこにおいて予め光マーカー物質を標識された標的核酸と前記核酸プローブとの間でハイブリダイゼーション反応を行うためのＤＮＡマイクロアレイ；および
（２）上記（１）に記載のＤＮＡマイクロアレイを支持するステージと、該ＤＮＡマイクロアレイの温度を調節するための温度調節部と、該ＤＮＡマイクロアレイからの光学的信号を撮像するための撮像手段とを備えた顕微鏡；
を具備する装置が提供される。
また、本発明の更なる側面に従うと、
第１の態様に記載の装置を使用した遺伝子検査方法であって、
（１）被験対象から採取した組織または細胞から抽出された核酸を増幅し、光マーカー物質を標識物質として付加すること；
（２）上記（１）で得られた標識された核酸を、所望の核酸プローブを具備するＤＮＡマイクロアレイに添加すること；
（３）上記（２）のＤＮＡマイクロアレイについて所望の条件下でハイブリダイゼーション反応を行うこと；
（４）上記（３）で得られたＤＮＡマイクロアレイについて光マーカー物質からの光信号の強度を測定すること；
（５）上記（４）で得られた光信号の強度を基に、発現遺伝子量の判定および／または突然変異遺伝子の有無の判定を行うことにより遺伝子検査の結果を得ること；
を具備する方法
が提供される。
発明を実施するための最良の形態
１．装置の概要
本発明の１側面に従うと、１つの検体における、遺伝子の発現レベルと突然変異の存在を容易に且つ短時間に検出できる装置が提供される。
本発明の態様に従う装置において実施される検出方法の基本的な原理は以下の通りである。即ち、この方法では、基板に固定化された配列既知の核酸プローブを用いて、検体中に含まれる特定の配列を有する核酸鎖が検出される。本発明の態様に従う装置は概念的には、基板に試薬としての一本鎖核酸（即ち、核酸プローブである）が固定化されたものである。使用時には、この固定化された核酸プローブに対して、光マーカー物質で標識した試料中の核酸を接触させる。もし、試料に含まれる核酸が、当該核酸プローブと相補的な配列を有していれば、その核酸は核酸プローブとハイブリダイズする。それにより、二本鎖が形成され、当該核酸は基板上に捕獲される。その後、洗浄により未反応の核酸鎖を除去し、核酸プローブに付された標識を検出すれば、その核酸プローブに対して相補的な配列を有する核酸の存在を検出することができる。ここで「光マーカー物質」とは、蛍光物質、化学発光物質および生物発光物質など、観察可能な信号として光を生じ得る物質を示す。
図１に示す構成図を用いて、本発明の装置の１態様を以下に説明する。本発明の１態様に従う装置は、コンピュータを利用した遺伝子検査装置である。
遺伝子検査装置１は、そこにおいてサンプルを反応させるためのＤＮＡマイクロアレイ２２における事象を顕微鏡的に観察するための顕微鏡３と、ＤＮＡマイクロアレイ２２を具備するスライドチップ２を収容する反応ブロック１００を支持するために前記顕微鏡３に具備されるステージ４と、前記顕微鏡３により観察されたＤＮＡマイクロアレイ２２における光マーカー物質からの信号を画像として撮像するための撮像手段５と、前記顕微鏡３により観察される視野の位置を変更するために前記ステージ４に接続されたモータドライバ６を制御するＸＹステージコントローラ７と、前記顕微鏡３により観察される視野の拡大および／または縮小を行うためのズーム手段１７を駆動制御するズーム手段駆動装置１８と、前記ＤＮＡマイクロアレイ２２に接続されたジョイント部を介して流体を輸送するポンプドライバ８と、前記ＤＮＡマイクロアレイ２２に接触して配置されるヒーター部１０１を介して該ＤＮＡマイクロアレイ２２の温度を調節する温度コントローラ９と、更に、これら、遺伝子検査装置１に含まれる全てのデバイスに直接的または間接的に接続され且つそれらを総括して制御するコンピュータ１０とを具備する。
ここで前記ジョイント部１２０は、ＤＮＡマイクロアレイ２２に含まれる液体を外部に漏出しないような様式で、反応ブロック１００内のＤＮＡマイクロアレイ２２に接続される。更に該ジョイント部１２０の終端はチューブを介して、ポンプドライバ８に接続され、更にポンプドライバ８は、その内部に所望の試薬等を含む試薬保持部に接続される。前記ポンプドライバ８は解析プログラムに従ってコンピュータ１０の指示により前記ＤＮＡマイクロアレイ２２に対する流体の出し入れを実行する。
前記ヒーター部１０１は、スライドチップ２とステージ４の間に配置される。また、前記ヒーター部は、温度コントローラー９に接続され、コンピュータ１０の指示に従って温度コントローラー９によって温度が調節される。好ましくは、反応ブロック１００のＤＮＡマイクロアレイ２２に対応する数のヒータを備え、コントローラ９により個別に制御可能となっている。
前記コンピュータ１０は、一般的なコンピュータに具備される構成要素を含む。図１には示していないが、例えば、前記コンピュータ１０に具備される構成要素は、コンピュータ１０の各部を総括して制御する主制御部であるＣＰＵ（Ｃｅｎｔｒａｌ  Ｐｒｏｃｅｓｓｉｎｇ  Ｕｎｉｔ）１１と、前記ＣＰＵ１１における制御の基礎となる種々のプログラム等や表示されるべき画像データ等のファイルを記憶するメモリ１２と、前記ＣＰＵ１１により実行された結果等を一時的に格納するためのＲＡＭ（ｒａｎｄｏｍ  ａｃｃｅｓｓ  ｍｅｍｏｒｙ）１３と、プログラム等に基づく前記ＣＰＵ１１の指示に従ってそこにおいて画像データを生成する画像処理部１４と、前記コンピュータ１０にオペレーター、例えば、人間が情報を入力するためのキーボードおよびマウス等の入力部１５と、前記コンピュータ１０の指示により情報を表示するディスプレイやプリンタ等の表示部１６を少なくとも具備すればよい。
また、撮像手段５により撮像された情報は、画像処理部１４に送られ、メモリ１２に記憶される解析プログラムに従いＣＰＵ１１の指示に従って画像処理部１４で処理されて光マーカー物質から生じる光信号の強度、例えば、蛍光強度として数値化される。
本発明で使用できるコンピュータは、一般的に使用される何れの電子コンピュータであってよい。
例えば、光マーカー物質が蛍光物質である場合、本発明で使用できる顕微鏡は、一般的に使用される蛍光顕微鏡であればよく、例えば、オリンパス社蛍光顕微鏡ＡＸ−７０またはＢＸ−４２ＴＦＲ等であってよいが、これに限られるものではない。
本発明で使用できる撮像手段は、光マーカー物質の種類に応じた一般的な光学的信号を撮像するために使用され得るそれ自身公知の手段で有ればよい。例えば、光マーカー物質が蛍光物質である場合には、そのような撮像手段は、好ましくは、蛍光画像を撮像するための手段である。そのような撮像手段の例は、例えば、ＣＣＤ（ｃｈａｒｇｅ  ｃｏｕｐｌｅｄ  ｄｅｖｉｃｅ）カメラおよび走査型共焦点カメラなどであるがこれらに限定するものではない。
ＣＣＤカメラは一般的に使用されるＣＣＤカメラであればよく、例えば、一般的なデジタルカメラ、例えば、コダック社のＭｅｇａＰｌｕｓ  ＣＣＤカメラ、フォトメトリック社のＣｏｏｌ  Ｐｉｘカメラ等であるが、これに限られるものではない。また、走査型共焦点カメラも、一般的に使用されるものであればよい。
また、ここで該ＤＮＡマイクロアレイ２２の温度を調節するための温度調節部は、該ＤＮＡマイクロアレイ２２を具備するスライドチップ２に直接的または間接的に接触して熱を伝えるための加熱体（例えば、電熱ヒーター、電磁ヒーター、ウォーターバス、エアーバスおよびペルチエ素子等）、そこにおける温度を感知するセンサー、およびコンピュータの制御と前記センサーからの情報に従って加熱体における加熱を制御する温度コントローラーを含み得る。
前記コンピュータに対して、総合デジタル通信網（以下、ＩＳＤＮと称する）への接続またはモデムを経由した電話回線への接続がなされてもよい。
上述の態様に具備されるステージ４は、上述の通り、ＸＹステージコントローラ７により、ＸＹ移動が可能である。しかしながら、視野の変更は、このようなステージ側の移動に限定されない。例えば、撮像手段５自身によって、或いは撮像手段５とマイクロアレイ２２を繋ぐ光路を変更させるような手段等、種々のスキャニング機構を用いて視野を変更してもよい。
２．スライドチップと反応ブロック
（１）．ＤＮＡマイクロアレイを具備するスライドチップ
本発明において使用されるＤＮＡマイクロアレイ２２の１態様を図２（Ａ）から（Ｂ）に示す。図２（Ａ）は、スライドチップ２の平面図である。スライドチップ２は、そこにおいて反応を行うＤＮＡマイクロアレイ２２を４つ具備する。図２（Ｂ）は、スライドチップ２の断面図である。
図２（Ｂ）に示すように、スライドチップ２は、多孔質の材質からなるフィルタ１９と、フィルタ１９を支持するための支持板２０とを具備する。前記フィルタ１９に含まれるチャネルは分岐を有することが好ましい。しかしながら、必ずしも分岐のあるチャネルでなくてもよい。支持板２０は、２つの部材、指示板２０ａと２０ｂとからなる。この２つの部材がフィルタ１９を挟み込んで接合されることにより、スライドチップ２が構成される。図２（Ｂ）に示すように、本発明の１態様に従うと、フィルタ１９の上下に位置する支持板２０ａと２０ｂは、ＤＮＡマイクロアレイ２２を規定するための開口部２１が形成されている。
また、図２（Ｂ）に示されるように、２つの支持板２０ａおよび２０ｂの間に位置するフィルタ１９は、４つのＤＮＡマイクロアレイ２２の全てを含む１枚のフィルタからなる。このフィルタ１９は、４つのＤＮＡマイクロアレイ２２の全てを含む面積に亘って二次元的に広がりを持ち、平坦である。また、支持板２０は、好ましくは遮光性のある部材により構成され、より好ましくは暗黒色の部材により構成される。好ましくは、２つの支持板２０ａおよび２０ｂは、フィルタ１９を間に挟んだ状態で接合される。
フィルタ１９の材質は、そこにおいて実施され得る温度制御の範囲内で破損されなければ、何れの任意の材質であってもよい。
ＤＮＡマイクロアレイ２２は、支持板２０に形成された開口部２１から露出するフィルタ１９の部分をいう。フィルタ１９に含まれるチャネルは分岐を有しても、分岐を有してなくてもよいが、好ましくは分岐を有する。フィルタ１９に具備される全てのチャネル２４はほぼ等間隔に配置されるのが好ましいが、少なくとも、支持板２０から露出したマイクロアレイ２２において全てのチャネル２４はほぼ等間隔に配置されればよい。
フィルタ１９の厚みを一定にし、更に、そこに具備される全てのチャネル２４の形状がなるべく等しくなるようにフィルタ１９が製造されれば、何れのチャネル２４もほぼ均等な容積を具備するものとなる。またここで、フィルタ１９の厚みを充分に薄くし、且つチャネル２４の口径を充分に小さいサイズにしてもよい。それにより、所要量のサンプルおよび／または試薬を多数のチャネルに対して分配することができる。該フィルタの１表面の特定面積当たりに、所望量の液体を収容するのに必要な個数のチャネルを作成し、その所定の面積に対してサンプルおよび／または試薬を供給すれば、フィルタ１９の多孔質膜内で安定した分析を実行することができる。例えば、フィルタ１９の片方ないし両方の面を、制御された所望温度の気体と接触させることによって、チャネル内の液体を直接的に昇温および降温操作できる。これに対して、１本の細長い管状キャピラリーからなる反応容器を用いて、所定量のサンプルおよび／または試薬をそのキャピラリーに収容して分析を行おうとする場合、温度制御を充分に行うためには、なるべく伝熱性の高い材質を選択して当該キャピラリーを構成する必要がある。また良好な光測定のためには、なるべく該キャピラリーの壁面が平坦であるような形状である必要がある。
更に、図２（Ａ）のスライドチップ２の直ぐ上部に示す図２（Ｃ）は、マイクロアレイ２２（ＤＮＡマイクロアレイとも称す）の拡大図である。マイクロアレイ２２には、複数のチャネル２４が存在する。また、マイクロアレイ２２の一部のチャネルの内壁に核酸プローブが固定される。核酸プローブが固定された領域がプローブスポット２３（単にスポットとも記す）である。図２（Ｃ）に示されるように、各ＤＮＡマイクロアレイ２２には、複数のプローブスポット２３が具備される。
プローブスポット２３およびその周辺を拡大した図が、図２（Ｄ）である。図２（Ｄ）では、便宜上、プローブスポット２３に含まれるチャネル２４を黒丸で示し、プローブが固定されていないチャネル２４は白丸で示す。プローブスポット２３は複数のプローブを具備するチャネル２４からなる領域である。通常、１つのプローブスポット２３は、支持板２０から露出されたフィルタ１９に存在するチャネル２４のうち、そこにおいて１種類のプローブが固定されるための最小単位と見なしてもよい。即ち、プローブの固定は、プローブスポット２３に含まれるチャネル２４の内壁面に対してのみ行えばよい。
該図２（Ｃ）および（Ｄ）では略円形の領域が示されているが、プローブスポット２３の輪郭は、略円形、略矩形または多角形であってもよい。
所望に応じて、複数のプローブスポット２３に対して同じプローブを固定してもよい。また、チャネルの内壁に表面処理を施し、流体への摩擦抵抗やプローブ等の試薬の吸着性を調節してもよい。
本スライドチップの大きさは０．５〜２０．０ｃｍ×０．５〜２０．０ｃｍ×０．０１〜１．０ｃｍ、好ましくは１．０〜１０．０ｃｍ×１．０〜１０．０ｃｍ×０．０５〜０．５ｃｍある。特に好ましくは、３．０〜８．０ｃｍ×３．０〜８．０ｃｍ×０．０５〜０．２ｃｍであればよい。実際の作成したスライドチップの１例は約７．５ｃｍ×約２．５ｃｍ×約０．１ｃｍである。
本マイクロアレイは、３．０ｍｍ２〜１６ｍｍ２、好ましくは１２．０〜４００ｍｍ２、特に好ましくは２０．０〜１００．０ｍｍ２であればよい。実際に作成したスライドチップ上の円形なマイクロアレイは直径約６ｍｍ（約２８．３ｍｍ２）である。
本ＤＮＡマイクロアレイに含まれるプローブスポットは直径１００〜３００μｍであり、好ましくは１２０μｍであり、１ＤＮＡマイクロアレイ当たり１０〜１０００、好ましくは４００のプローブスポットが具備されればよい。多孔質のフィルタの目の粗さは０．０５〜０．６μｍ、好ましくは０．２μｍであればよい。核酸プローブは、プローブスポット毎に異なる種類となるように固定されてもよい。
ここで使用される「ＤＮＡマイクロアレイ」の語は、そこにおいて１種類の反応が実施されるための１反応単位である。そこには核酸プローブを固定された複数のチャネル２４からなるプローブスポット２３が複数具備される。従来使用されるＤＮＡチップは、スライドグラスの表面にプローブが固定化され、それによって二次元的に広がる反応領域が形成されている。このような従来のＤＮＡチップとは異なり、本発明のＤＮＡマイクロアレイは、基板に対して、その表面における二次元的な広がりに加えて、該表面に対して垂直方向（即ち、その厚み方向）の広がりも有し、それにより三次元的に展開される反応領域を有している。
本発明において使用するのに好ましいＤＮＡマイクロアレイの例は、特表２０００−５１５２５１号に記載のデバイス、特表平９−５０４８６４に記載の微細加工フロースルー多孔性装置であってよい。
また、図２にはＤＮＡマイクロアレイ２２を４つ具備するスライドチップ２を示したが、４以上としてもそれ以下としてもよい。本明細書では、１つの好ましい態様として４つのＤＮＡマイクロアレイ２２を具備するスライドチップ２について説明したが、これに限られるものではない。また、その変更に伴い、装置の他の構成および実行の際の手順が変更されることは当業者には明白であり、そのような変更も本発明の範囲に含まれるものである。
例えば、４つのＤＮＡマイクロアレイ２２を具備するスライドチップ２を使用した場合、夫々のＤＮＡマイクロアレイ毎に異なる検体について検査してもよく、または１枚のチップ中で１つの検体について異なる４つの種類の解析、例えば、癌遺伝子の突然変異、発現解析、薬剤耐性遺伝子、および細胞内シグナル遺伝子の発現パターンの決定等を実施してもよい。
また、１つのマイクロアレイ２２当たりに含まれるチャネル２４の本数、配置密度、配置パターン、口径等の大きさは、適宜変更でき、１チャネルの形状および／口径を、異なる箇所間で異ならせてもよい。
上述した態様では、フィルタ１９の外観は、２次元的な広がりを有した平面を有し、且つ該平面に垂直な方向に一定の厚みを有した扁平な部材である。しかしながら、本発明に従って使用されるフィルタはこのような形状に限られるものではない。また、該チャネルが、該扁平な部材に対して垂直に配置されていなくてもよい。
ここで使用される「核酸プローブ」の語は、一般的に、約１０ヌクレオチド以上約１００ヌクレオチド以下の核酸からなるポリヌクレオチドまたはオリゴヌクレオチドであり、一般的にハイブリダイゼーションにより核酸を検出する場合に使用される核酸プローブであればよい。
例えば、Ｐ５３、ｃ−ｍｙｃ等の癌遺伝子や、癌抑制遺伝子に対応するオリゴヌクレオチドであっても、疾患関連または感受性遺伝子に対応するオリゴヌクレオチドであっても、多型部位を含む配列に対応するオリゴヌクレオチドであっても、何れの所望する核酸もプローブとして使用することが可能である。
また更に、解析の対象となる遺伝子の他に、試料の定常状態を測定するためのβグロブリンやアクチンなどのハウスキーピング遺伝子に対するプローブを使用してもよい。このようなハウスキーピング遺伝子の量を細胞内の基準的な遺伝子量として、実際の癌遺伝子や、癌抑制遺伝子または薬剤耐性遺伝子の発現量を測定してもよい。このようにすれば、より正確な細胞内の遺伝子発現量を測定することが可能である。
ここで使用される「標的核酸」の語は、試料に含まれる検出されるべき核酸を示す。
本発明の態様に従うと、上述したＤＮＡマイクロアレイ２２を配置したスライドチップ２を用いて分析を行う場合、このようなスライドチップ２には、複数のＤＮＡマイクロアレイ２２が含まれる。ＤＮＡマイクロアレイ２２に複数具備されるプローブスポット２３は、そこにおいて微量な液体を収容できる３次元的な空間を有するチャネル２４を複数具備する。チャネル２４は３次元的な空間を有するが、そのチャネル２４に流体を出し入れするための全ての開口部は、同一平面上に２次元的に配置されている。従って、スライドチップ２を上方より見たときに得られる平面においては、プローブスポット２３は非常に狭い面積でしかないように見える。しかし、その実体は、狭い面積開口部より下方に伸びる３次元的な空間が具備されるものである。
例えば、プローブスポット毎に条件を変えれば（例えば、固定するプローブの種類を変更したり、表面処理を変更する等）、微小な１つのＤＮＡマイクロアレイ中で非常に多くの情報を充分な感度で得ることができる。また、ＤＮＡマイクロアレイ毎に温度制御や、測定データの解析を行えるので、小型の装置において多項目の反応結果を迅速に得ることができる。また、プローブスポット毎に温度制御したり、測定データを解析してもよく、その場合、更に、多項目の反応結果を迅速に得ることが可能である。
上述した本発明の態様では、多孔質膜のチャネルの内壁にプローブが固定された例を示したが、該プローブは必ずしも固定される必要はなく、多孔質膜のチャネルの内壁に試薬を固定しないで、自由に液相中を浮遊または懸濁させた状態で行う反応系に対しても、本発明は適用することが可能である。その場合、該プローブを固定化しないこと以外は、上述の態様と同様である。この場合、「プローブスポット」は「反応スポット」と称することも可能であるが、ここでは「反応スポット」はプローブスポットの１態様として包含され説明される。また、このような装置も本発明の範囲に含まれる。
本発明の態様に従うＤＮＡマイクロアレイ２２は、上述したような３次元構造を有している。そのために、同じ顕微鏡視野内でも従来の平板状のＤＮＡチップに対して約３００倍〜約８００倍、実用範囲では約５００倍の表面積を有している。更に、本発明の態様に従うＤＮＡマイクロアレイ２２では、上述したような微小フィルタ構造の内壁でサンプル等の液体の流動がなされる。そのために、従来の平板状ＤＮＡチップに対して反応の立ち上がりが顕著に早く、反応開始から約５分後で約１００倍、約１５分後で約１０〜５０倍の検出感度が得られる。これらの有利な条件により、３次元的に液体を収容し得る微小な液体収容部をその開口部が同一平面上に配置されるように二次元的に多数配置してなる。従って、そこにおいて予め光マーカー物質を標識された標的核酸と前記核酸プローブとの間でハイブリダイゼーション反応を行うためのＤＮＡマイクロアレイを用いれば、従来必要とされた視野よりも小さな視野内に多数の別々の反応領域（プローブスポット）を配置することが可能になる。ここで、図１に示したようなズーム手段１７を具備する撮像手段は、好ましくは、小さな倍率では多数の反応領域を一望することができと同時に、高い倍率では当該撮像手段は、所望の限られた個数の反応領域を拡大観察することができる。ズーム手段１７は、好ましくはガルバノミラーなどによる光路変更機構を具備している。これにより、縮小倍率では視野範囲に多数の反応領域が含まれるようなアレイ上の領域であっても、そのうちの任意の反応領域に対してのみ、所望の拡大倍率で且つ所望数の反応領域が収まるように、撮像用の視野を位置付けることが可能になる。また、ズーム手段駆動装置１８は、かかる撮像視野の拡大および／または縮小を実行して、指定された所望の反応領域を自動測定したり、オペレータの指示によって瞬時に目的の反応領域をディスプレイに表示する。
（２）反応ブロック
反応ブロック１００は、少なくとも１つの反応液収容部、好ましくは複数の反応液収容部、例えば、図８に示されるように４つの反応液収容部を有している。反応液収容部の各々は、図９に示されるように、反応ブロック１００の上面に開口した上側ウェル１５２と、上側ウェル１５２の下方に位置する下側ウェル１１２と、下側ウェル１１２と外部空間を連絡する流路１１４とを有している。
続く説明では、反応ブロック１００は、これに限定されるものではないが、４つの反応液収容部を有しているものとして進める。
反応ブロック１００は、上側ウェル１５２と下側ウェル１１２の間に配置された反応部としてのＤＮＡマイクロアレイ２２を更に有している。言い換えれば、上側ウェル１５２と下側ウェル１１２はフィルタ１９からなるＤＮＡマイクロアレイ２２によって仕切られている。ＤＮＡマイクロアレイ２２は、図２で説明したように、多孔質体の内壁に固定された核酸プローブを有している。
反応ブロック１００は、その上面に開口した上側ウェル１５２を有しており、このような上側ウェル１５２は、反応ブロック１００の上方からの反応部１３２の光学的な観察を可能にしている。
反応ブロック１００は、上述した構造を得るため、図９に示されるように、容器本体を構成するベース１１０と上板１５０と、反応部１３２を有するアルミナ多孔質体１３０とを有している。ベース１１０と上板１５０は、例えば、ポリカーボネート製であり、アルミナ多孔質体１３０を間に挟んで、ねじ止めや接着など任意の適当な手法によって互いに固定される。また、本発明の態様に従う反応ブロック１００の材質は、ポリカーボネートに限定するものではなく、耐圧および熱伝導レベルが高い材質であれば何れの材質を使用してよい。
ここで、図９に示すように、各上側ウェル１５２と各下側ウェル１１２毎にそれぞれＯリング１５５とＯリング１１７のようなパッキン部材を用いて機密性を確保した状態にするのが好ましい。ウェル毎にパッキン部材で機密性を得るようにすれば、外部空間からの影響は勿論のこと、ウェル間の影響も回避できるので好ましい。
上板１５０は、上側ウェル１５２を規定するためのテーパー状の貫通孔と、上板１５０の上面を貫通孔（上側ウェル１５２）から延びている溝１５４とを有している。
ベース１１０は、下側ウェル１１２を規定するための凹部と、凹部（下側ウェル１１２）と外部空間を連絡する流路１１４とを有している。より詳しくは、ベース１１０は、平らな側面１１８を有しており、流路１１４は、凹部（下側ウェル１１２）の底面から延び、ベース１１０の側面１１８のジョイント部１２０で終端している。ベース１１０は、更に、側面１１８（即ち流路終端面）に、流路１１４の開口端を取り囲んでいるリング溝１１６にＯリング１１９を配設している。この例では、４つのジョイント部１２０が、別々のチューブと連結されてポンプドライバ８に接続される。
ベース１１０は、更に、反応部１３２の破損、即ち裂けや破れを避けるために、反応部１３２の変形を抑えるための、凹部（下側ウェル１１２）の底面に形成された１つまたは複数の突起を有していてもよい。突起は、ピン状の形状であっても、板状の形状であってもよい。
前述したように、反応液収容部は、図９に示されるように、上側ウェル１５２と下側ウェル１１２と流路１１４とで構成されている。下側ウェル１１２と流路１１４の容積の合計は、上側ウェル１５２の容積よりも大きい。従って、下側ウェル１１２と流路１１４は、最初に上側ウェル１５２に入れられる反応液の全量を収容し得る。流路１１４は、十分な容積を得るために、拡張部分、いわゆる液だまりを有していてもよい。
反応液の蒸発を抑えるため、好ましくは、反応ブロック１００は平らな上面を有し、その上に対してＤＮＡマイクロアレイ２２の上面が若干上方位置に間隙を介するように、耐圧性および耐熱性を有する観察窓４１０が載せられる。観察窓４１０は上側ウェル１５２の全体を覆い、溝１５４を部分的に覆うように配置される。上側ウェル１５２の全体的な覆いは反応液の蒸発を最小に抑える。本発明の態様において使用可能な観察窓４１０は、例えば、ガラス、ポリメチルペンテンおよびポリカーボネートなどで形成すればよい。
本発明の態様では、反応成分であるサンプルと試薬を、各ＤＮＡマイクロアレイ２２に収容させ、上記観察窓４１０を取り付けて一体化された閉鎖型反応ブロック１００をオペレータがステージ４上にセットすることで検査がスタートされる。
３．ソフトウェア
次に、上述のような本発明の態様に従う遺伝子検査装置を機能させるために必要なソフトウェアについて説明する。また、ここでは本発明の態様として、光マーカー物質として蛍光物質を用いる場合の例を用いて説明する。しかしながら、これに限定するものではない。
図１に示されるコンピュータ１０に具備される前記メモリ１２には、ＣＰＵ１１を介して本装置を制御するためのプログラム、ＣＰＵ１１により検索されて制御および判断の根拠となるテーブル等の情報、並びに、得られた結果を表示する場合に利用される画像データ等が記憶される。
例えば、解析プログラムは、遺伝子解析を実施するためのプログラムであり、当該解析をコンピュータによって処理させるための仕事の手順に関する命令を含んでよい。
例えば、反応進行プログラムは、ＤＮＡマイクロアレイ２２において行うべき反応をコンピュータによって処理させるための仕事の手順に関する命令を含んでよい。反応進行プログラムには、反応、例えば、ハイブリダイゼーションに必要な試薬の選択、使用する試薬の量、反応時間および反応温度等の反応条件、ポンピングの回数および時間、ポンピング開始時期の液体輸送および撹拌条件等に関する命令が予め含まれてもよく、或いは解析開始時にオペレーターにこれらの情報を入力するように指示する命令が含まれてもよい。また、これらの反応の条件は、反応条件プログラムとして反応の手順とは異なるプログラムとしてメモリ１２に記憶させてもよい。
上記のプログラムは本装置を制御するためのプログラムの例であるが、それ以外の必要なプログラムをメモリ１２に記憶させてもよい。
例えば、遺伝子対応テーブルは、得られた蛍光強度と、反応条件と、遺伝子発現量、発現遺伝子および遺伝子の突然変異等との関連付けを明記するテーブルであってよい。
４．装置の作用
図３に示したフローチャートを用いて上述した本態様の作用を説明する。また、ここでは本発明の態様として、光マーカー物質として蛍光物質を用いる場合の例を用いて説明する。しかしながら、これに限定するものではない。
（Ｓ１）オペレーターが、ステージ４上にヒーター部と接触するようにスライドチップ２をセットし、前記スライドチップ２の各ＤＮＡマイクロアレイ２２に対してジョイント部を接続する。
（Ｓ２）オペレーターが入力部１５に入力して、本装置に対して解析開始の指示が出される。このときオペレーターは反応の条件に関する情報を入力するが、これらの情報は、ＲＡＭ１３に格納される。
（Ｓ３）オペレータにより解析開始の指示が出されると、ＣＰＵ１１は、予め設定されメモリ１２に記憶された座標とメモリ１２に記憶された解析プログラムに従って、ＸＹステージコントローラ７に対して、４つのＤＮＡマイクロアレイ２２の中で未解析で且つ認識番号の小さいＤＮＡマイクロアレイ２２が撮像手段５の視野に入る位置にように指示する。指示されたＸＹステージコントローラ７がモータドライバ６を駆動して、ＸＹステージ４が動かされる。ここで、使用されるスライドチップ２におけるＤＮＡマイクロアレイの数と、夫々に対応する認識番号と、それが位置する座標とは、それらが対応付けられたテーブルとしてメモリ１２に記憶されている。従って、ＣＰＵ１１は、未解析のＤＮＡマイクロアレイ２２のうちで認識番号の最も若いものを選択し、前記テーブルを検索することにより、目的とするＤＮＡマイクロアレイ２２の座標を読み出し、それを基に指示を出す。
（Ｓ４）目的のＤＮＡマイクロアレイ２２が撮像手段５の視野に入る位置に配置されると、ＣＰＵ１１は、メモリ１２に記憶された反応進行プログラムに従って指示を出し、ポンプドライバ８および温度コントローラ９を制御して、複数の反応を繰り返し実行させる。ＣＰＵ１１は、メモリ１２に記憶された反応進行プログラムに従って、各反応の終了毎に撮像手段５に指示を出し、撮像を実行させる。（Ｓ４）については更に詳しく後述する。
（Ｓ５）Ｓ４における撮像手段５による撮像がなされる毎に、ＣＰＵ１１は、得られた画像情報を画像処理部１４からＲＡＭ１３に転送させ一旦格納させる。
（Ｓ６）ＣＰＵ１１は、直前のＳ３で選択され反応に供されたＤＮＡマイクロアレイ２２の認識番号をＲＡＭ１３から読み出し、それを基にスライドチップ２に具備される４つのＤＮＡマイクロアレイ２２に未解析のものが残っているか否かを判断する。未解析のＤＮＡマイクロアレイ２２がある場合には（Ｓ３）へ進み、そうでない場合には（Ｓ７）に進む。
（Ｓ７）ＣＰＵ１１は、解析プログラムに基づいて（Ｓ５）でＲＡＭ１３に格納された画像情報を読み出し、該情報から蛍光強度を算出する。得られた蛍光強度とその蛍光強度を得たときの反応条件を基に、ＣＰＵ１１は、遺伝子対応テーブルを検索し、対応する遺伝子情報を読み出す。これらのデータから、ＣＰＵ１１は、画像処理部１４に遺伝子解析結果のテーブルを作製させ、算出された蛍光強度反応条件と遺伝子対応テーブルそのデータを画像処理部１４に送り、そこにおいて、結果のテーブルを作製させ、このテーブルをＲＡＭ１３に記憶させる。
（Ｓ８）ＣＰＵ１１は、画像処理部１４に対して、ＲＡＭ１３に記憶させた遺伝子解析結果のテーブルの画像を表示するように指示する。これにより画像処理部１４はＲＡＭから必要な情報を読み出して画像処理し、表示装置に表示する。
上述では、Ｓ２においてオペレーターが入力する反応条件に関する情報は、例えば、反応温度、反応時間、反応回数および試薬の選択等であってよい。または、これらの情報は、Ｓ２においてオペレーターにより入力されるのではなく、予めメモリ１２に記憶された反応進行プログラムまたは反応条件プログラムに含まれていてもよい。
また、上述の手順では、各ＤＮＡマイクロアレイ２２毎に解析を行う例を示したが、全てのＤＮＡマイクロアレイ２２に関して同時に解析を行ってもよい。また、上記では解析されるＤＮＡマイクロアレイ２２は、予め割り当てられた認識番号の順に自動的に選択される場合を記載したが、解析毎に、オペレーターが解析を実行するＤＮＡマイクロアレイ２２を選択し、入力部１５からの入力によって所望の解析を実行するように指示してもよい。
また、該コンピュータに対してＩＳＤＮまたは電話回線への接続を行えば、当該解析により得られた結果を、所望のゲノムデータベースまたは塩基配列データベースを検索して得られた情報と比較することも可能である。この手順は、メモリ１２に記憶された比較プログラムを基にＣＰＵ１１がデータベースを検索し、装置により得られた結果と比較し、同定するように設定してもよい。
５．ＤＮＡマイクロアレイにおける反応
上記（Ｓ４）における反応について、図４を用いて更に説明する。
（Ｓ４１）目的のＤＮＡマイクロアレイ２２が撮像手段５の視野に入る位置に配置されると、ＣＰＵ１１は、メモリ１２に記憶された反応進行プログラムに従って、温度コントローラ９に指示を出し、ヒーター部を制御させることによって、目的のＤＮＡマイクロアレイ２２の温度を所定の第１の温度に維持する。更に、ＣＰＵ１１は、前記反応進行プログラムに従って、ポンプドライバ８に指示を出し、試料を目的のＤＮＡマイクロアレイ２２に添加させ、ポンピングにより撹拌を実行しながら、反応を実施させる。
（Ｓ４２）メモリ１２に記憶された反応進行プログラムに従って、所定の反応時間に亘って反応が実施された後、ＣＰＵ１１は、前記反応進行プログラムに従って、ポンプドライバ８に指示を出し、試料を目的のＤＮＡマイクロアレイ２２から一次退避させ、撮像手段５に撮像を実行させる。
（Ｓ４３）撮像手段５の撮像の終了後、ＣＰＵ１１は、前記反応進行プログラムに従って、ポンプドライバ８に指示を出し（Ｓ４２）において一次退避された試料を再びＤＮＡマイクロアレイ２２に添加させる。このとき、撹拌作用も機能している。
（Ｓ４４）ＣＰＵ１１は、前記反応進行プログラムと（Ｓ１）においてオペレーターにより入力されＲＡＭ１３に格納された条件を読み出し、更なる温度設定および／または溶媒組成等を変更した更なる反応条件下で反応を行う必要があるか否かを判断する。必要であれば（Ｓ４１）に進み、不要であれば（Ｓ５）へ進む。
６．解析対象および前処理
本発明の装置により実施可能な解析の例は、被験者における癌遺伝子等の突然変異の有無の検出、被験者における遺伝子の発現解析、薬剤耐性遺伝子の発現解析、被験者における疾患関連または感受性遺伝子の遺伝子型決定、被験者における細胞内シグナル遺伝子の発現パターンの決定等、臨床的な治療学的および診断学的解析、並びに非臨床的な基礎研究においても種々の遺伝子解析等である。
一般的に、遺伝子検査に用いるサンプルは、ヒトの場合、血液、培養細胞、生検または手術時に採取された細胞または組織等の生体組織等が使用できる。
例えば、内視鏡的に採取された組織切片の場合、該組織切片をスライドガラス上に固定し、染色し、病理検査を行った後のスライドグラスから、マイクロダイセクションシステムであるレーザーキャプチャーシステム、オリンパス社製ＬＣＳ２００によって癌病巣部分の組織の部分のみを採取したものを使用することができる。
本装置による解析に先駆けて、このようにして得られた生体サンプルは、フェノール・クロロホルム法、マイクロカラム法、または磁性粒子法等を利用した核酸抽出試薬によって処理し、ＤＮＡおよび／またはＲＮＡを抽出される。更に、抽出されたＤＮＡおよび／またはＲＮＡについて、ＰＣＲ法、ＲＴ−ＰＣＲ法、Ｔ７増幅法等によって遺伝子増幅を行う。しかしながら、核酸量の多いサンプルの場合には、遺伝子増幅を行うことなくｃＤＮＡを調製すればよい。但し、何れの場合においても、プライマーの５’端か、合成されたヌクレオチドのどこかに標識物質、例えば、ＦＩＴＣ、ローダミン、Ｃｙ３およびＣｙ５等、蛍光標識物質の何れかが付加されるように試薬組成を最適化することが好ましい。
このような解析に使用する試料の調製は、例えば、「ＤＮＡマイクロアレイと最新ＰＣＲ法」（細胞工学別冊；ゲノムサイエンスシリーズ１、秀潤社、２０００年３月１６日発行）等に記載されるように、一般的にそれ自身公知の方法により行ってよい。
上記の蛍光標識を行った後、ピペットによってオペレーターが手動で得られた調製済みの試料をＤＮＡマイクロアレイに分注してもよい。その後、上述のような装置により、解析を行えばよい。
７．解析方法
以上のように我々は、フィルタを用いることにより、短時間に高効率のハイブリダイゼーションを行うことが期待できる三次元ＤＮＡマイクロアレイを反応部に用いて、溶液制御用のポンプ、温度調節用の温調システム、高感度な蛍光検出装置と、コンピューターによって制御する撮像デバイスを組み合わせた遺伝子検査システムを本発明の１態様として完成した。また、ここでは本発明の態様として、光信号として蛍光を用いる場合の例を用いて説明する。しかしながら、これに限定するものではない。
このようなシステムにより実施される遺伝子解析方法も本発明の範囲に含まれる。図５のフローチャートを用いて本発明の方法を説明する。
（Ｓａ）先ず、試料を調製する。被験対象から採取した組織または細胞から核酸を、例えば、フェノール・クロロホルム法などにより抽出する。
（Ｓｂ）（Ｓａ）で得られた核酸を、ＰＣＲ法またはＮＡＤＢＡ法等により増幅し、且つ蛍光標識を行う。また、核酸の量が多い場合には、蛍光標識のみ行う。
（Ｓｃ）（Ｓｂ）で得られた蛍光標識された核酸を、スピンカラム法またはエタノール沈殿法などにより精製する。
（Ｓｄ）（Ｓｃ）で得られた核酸を変性により１本鎖標識核酸にする。その後、核酸プローブを固定化したＤＮＡマイクロアレイに、得られた１本鎖標識核酸を添加する。
（Ｓｅ）試料を含有するＤＮＡマイクロアレイについて、所望の条件下でハイブリダイゼーションを行う。このとき、ＤＮＡマイクロアレイ中の液体をポンピングまたはピペッティング等により撹拌することが好ましい。
（Ｓｆ）（Ｓｅ）でのハイブリダイゼーションを行った後、ＤＮＡマイクロアレイ中の液体を、該アレイの下部に留め、核酸プローブに結合した標識核酸に含まれる蛍光強度を測定する。
（Ｓｇ）（Ｓｆ）における蛍光強度の測定が終了した後、所望の反応条件下で、再度ハイブリダイゼーションを行い、上記同様、蛍光強度を測定する。種々の反応条件下でこの操作を必要な回数だけ繰り返す。
（Ｓｈ）（Ｓｇ）の反応が終了した後に、ＤＮＡマイクロアレイ中の試料をそのままの状態を維持しながら、即ち、希釈または不純物等のコンタミネーションのないように、回収し、その後、前記核酸プローブに結合した標識核酸に含まれる蛍光強度を測定する。
（Ｓｉ）（Ｓｆ）および（Ｓｈ）で得られた蛍光強度を基に、発現遺伝子量の判定および突然変異遺伝子の有無等の判定を行い、目的の遺伝子に関する情報を得る。
（Ｓｊ）（Ｓｉ）で得られた目的の遺伝子に関する情報を、データベースに開示される公知の遺伝子情報や、標準試料から得られた解析結果と比較する。
（Ｓｋ）（Ｓｊ）の比較の結果から、被検対象からの試料に関する遺伝子解析についての判定を行う。
ここでは、２つの反応条件を用いて２つの反応を連続して行ったが、必要に応じて、連続する反応の回数および蛍光強度の測定回数を増やすことも可能である。その場合、上記（Ｓｆ）から（Ｓｇ）を必要な回数で繰り返せばよい。
本発明の態様として上述した装置は、ステージに置かれた反応要素（即ち、スライドチップ）に対して液体の分注、撹拌、温度制御および測定を常時実行できる構成になっている。従って、あらゆる種類の反応系を小さなスペースで容易に達成できる。従って、本発明の装置は、あらゆる遺伝学的検査に有用な優れた手段となり得る。
また、本発明に従うと、少なくとも１個のＤＮＡマイクロアレイは、ＣＣＤカメラや走査型共焦点カメラなどの撮像手段の撮像可能な範囲に収まる程に充分に小型であるので、測定すべきＤＮＡマイクロアレイ内の複数の別々のプローブスポットに対して、光学的なスキャニングを行う必要はない。このことにより、同一のＤＮＡマイクロアレイ内の各スポットの反応を同時に且つ継続的にモニタリングすることが可能となり、多項目の同時検査に非常に有利である。
本発明の更なる側面に従うと、本発明は、同一の試料に対して複数の検査を連続して行うことが可能であり、従って、複数の検査結果を迅速にまたは任意の時機に得ることが可能な装置を提供するものである。
本発明に従うと、このような測定装置において、プローブスポット毎に適用された各々の試薬（例えば、核酸プローブおよび核酸プライマー等）の種類または各々の反応条件を、各試薬毎または各反応条件毎に得た各々の測定データと照合しながら測定データの解析を行う解析用ソフトウエアも提供される。
また特に、本発明に従う装置では、同一のプローブスポットにおいて、複数種類の反応を同時、逐次、または順次に実行することが可能である。従って、そのような複数種類の反応を達成するために必要な反応条件を容易に整えること、およびそのような複数種類の反応により得られた複数のデータを正確に読み取り且つ処理することを可能にする新規な読み取り手段を、本発明に従う装置が具備していてもよい。
例えば、そのような読み取り手段は以下を実行するような手段であり得る；
ｉ）１つのＤＮＡマイクロアレイにおいて測定されるべきプローブスポットの位置情報とそのプローブスポットへの制御情報（例えば、試薬毎の好適温度、検査目的など）とを組み合わせてなる検査項目情報を、メモリ回路等の記憶手段に記憶すること、
ｉｉ）実際に前記ＤＮＡマイクロアレイ内の全てのスポットにおいて実施された制御をモニタリングし、そのモニタリングされた実際の制御条件と、前記ｉ）の検査項目情報とを照合し、その照合結果をメモリ回路等の記憶手段に記憶すること、および
ｉｉｉ）前記  ｉｉ）のモニタリングされた制御条件下で行われた測定結果を、前記  ｉｉ）で得られた照合結果と対応付けた測定データとしてメモリ回路等の記憶手段に記憶すること、または
ｉｖ）前記  ｉｉ）のモニタリングされた制御条件下で行われた測定結果を、前記  ｉｉ）で得られた照合結果と対応付け、更に、ＣＰＵ等のデータ処理手段によって、前記測定結果を前記照合を基に補正するような演算処理を行うこと。
従って、そのような読み取り手段は、該検査項目情報、モニタリングされた制御条件、測定結果および測定データ等のデータを記憶するための記憶手段と、前記記憶手段に記憶された各データを読み出して比較および照合を行ったり、必要な演算処理するためのＣＰＵ等のデータ処理手段とを具備する。
また、このような新規な読み取り手段自体も、そのような読み取り手段を具備した装置も、本発明の態様として提供される。
係る読み取り手段によれば、撮像手段の同一の視野内（例えば、ＣＣＤの１視野内）の全てのスポットについて、複数のスポット間で全部または一部の反応が時間的に重複するような異なる種類の反応結果や、少なくとも１つのスポットにおいて実行される複数の異なる反応条件での反応結果を、取り違えることなくメモリ等に記憶し、更に必要に応じて取り出して、所望の判定結果を出力することが可能である。
上述の態様では、光マーカー物質として蛍光物質を使用した場合を１例として中心に説明したが、本発明はこれらに限定されるものではない。即ち、使用する光マーカー物質は所望に応じて変更することが可能である。従って、上述したような発光物質を使用した場合には、それに応じて必要箇所を変更すればよく、そのような変更を行った態様も本発明の範囲内である。
以上、本発明の実施の形態を詳細に説明したが、上述した詳細な説明および図面は、本発明の態様を例示することを目的とするものであり、従って、それらによってに本発明は限定されるものではなく、本発明は、種々の均等物および現在の自明な技術知識に基づく、種々の改良された発明または変形された発明を包含するものである。
［実施例］
１．遺伝子解析
図１および図２に示すような本発明の態様を用いて遺伝子解析を行う。
遺伝子を測定する容器として、検査対象である標的遺伝子と相補性を有する複数の遺伝子を表面に固定化した多孔質のフィルタを収めたチップを用いる。この多孔質のフィルタを収めたスライドチップを、蛍光顕微鏡のステージに置かれた反応部分（インキュベーター部分）に設置する。この蛍光顕微鏡は、ホストコンピュータによって、励起光シャッター、蛍光キューブ、ステージ移動などを自動的に制御することが可能なように構成されている。また、蛍光顕微鏡にはＣＣＤなどの画像を撮影するデバイスが設置されていて、撮影のタイミングもホストコンピュータによって制御されている。また、露出時間、画像の保存および冷却状態などの制御も、同じコンピュータによって制御することが出来る。また、インキュベーターには、液体を輸送するためのポンプ、および温度制御用のヒーターかベルチエ素子が設けられていて、これらの制御もまたホストコンピューターによって行うことができる。
サンプルをチップの測定領域に滴下したあと、ポンプによって反応液をチャネル内を行き来するように移動させて、ハイブリダイゼーション反応を加速する。インキュベーターの下部のチャネル内に続く溶液を移動させ、反応液の液面がフィルタの上面に接した時に、励起光シャッターを開けてフィルタ表面の蛍光画像をＣＣＤカメラや走査型共焦点カメラなどのデバイスによって撮影する。撮影された画像データは、コンピュータの指定されたメモリ内のフォルダーに保存され、別にインストールされた解析用のプログラムによって測定結果を解析する。
このように、ハイブリダイゼーションを促進するためのポンプ、温度変化をチップに与えるためのヒーター、更に、必要に応じて、溶液組成を変化させるピペッターシステムをインキュベーターの周囲に配置することによって、この一個の検査システムによって連続して様々な温度や溶液状態におけるハイブリダイゼーションのパターンを得ることができる。また、測定に用いる蛍光標識の種類に応じて異なる波長によって標識物質を励起し、異なる蛍光波長の画像を撮影することも出来るので、試料の中に複数の蛍光色素によって標識された物質が入っている場合でも、フィルタキューブを自動的に切り替えることにより、例えば、２色の蛍光強度比などを簡単に測定することができる。このようにして得られたスポットの蛍光強度から、チップ表面に固定化されたプローブとハイブリダイゼーションした標的遺伝子の量を解析する。この検査装置を用いることによって、Ｃ−ｍｙｃ等の癌化に従って、発現量が大きく変動する遺伝子の発現量を鋭敏に検出することが出来る。
また、インキュベーターの温度変化によって生じる蛍光スポットの蛍光強度変化のパターンを解析することにより、Ｋ−Ｒａｓ、Ｐ５３といった癌化に大きな影響のある遺伝子の突然変異を検出することができる。このようにして細胞内部で複雑な細胞機能を制御している遺伝子の発現量と、遺伝子の内部に生じた突然変異という２つの生理学的に重要な遺伝子の変異を短時間のうちに同一の装置によって解析することが可能となる。また、ここで、用いられるサンプルの調製方法は、従来の遺伝子検査で用いられているものと同様であり、この装置によって得られた結果は、インターネット上で公開されているＧｅｎＢａｎｋなどのデータベースにある遺伝子情報と容易に比較検討することが出来る。
このような本発明の態様に従う装置を用いることによって、反応部分の溶液の状態や、温度条件を変化させながら標的遺伝子のハイブリダイゼーションの程度をリアルタイムで測定することができる。
以上のような本発明の態様に従う装置を用いることによって、反応部分の溶液の状態や、温度条件を変化させながら標的遺伝子のハイブリダイゼーションの程度をリアルタイムで測定することができるようになった。この発明を用いることによって、対象遺伝子の発現量を正確に測定することが出来るようになった。
また、発現量の測定に引き続いて、自動的にマイクロアレイの温度や反応溶液の溶液組成を変化させることによって、異なるプローブへのハイブリダイゼーションの効率を強制的に変化させ、その結果から、標的遺伝子内に生じている突然変異、例えば、一塩基多型（以下、ＳＮＰと称す；Ｓｉｎｇｌｅ  ｎｕｃｌｅｏｔｉｄｅ  ｐｏｌｙｍｏｒｐｈｉｓｍ）等の種類を検出することが出来る。このシステムを用いることによって、癌などの進展の程度や悪性度、或いは転移の可能性、疾病のステージなどがより正確に予測できることが期待される。
また、同時に治療薬に対する感受性に影響するＰ４５０などの薬剤感受性遺伝子の発現量と、活性に影響あるＳＮＰｓの検査も同時に行うことが出来る。このようにして疾患の原因遺伝子の異常のみならず、薬剤に対して感受性のある遺伝子のの異常を同時に検査することで、選択する治療薬の種類や温度を患者の体質に合わせて最適化することが可能になる。また、得られた遺伝子異常に関する情報を基にして、将来的に高い治療効果が期待されている遺伝子治療に用いる遺伝子の選択が正確に行える。
２．Ｃ−ｍｙｃ、エストロゲンレセプター、テロメラーゼの発現量の測定
Ｃ−ｍｙｃ、エストロゲンレセプター、テロメラーゼの発現量の測定をおこなうためのスライドチップの例を図６に示す。該スライドチップには、図６（Ａ）には、夫々のプローブスポットに固定される核酸プローブとハウスキーピング遺伝子の配列を示す。表中の番号はプローブスポットに割り当てた番号に相当する。図６（Ａ）に示されるようなｃ−ｍｙｃを含む複数の遺伝子に対するプローブと、ハウスキーピング遺伝子が固定される。図６（Ｂ）には、ＤＮＡマイクロアレイに具備されるプローブスポットに割り当てた番号を、模式的に記した各プローブスポット上に示す。夫々のプローブスポットには、番号に対応するように図６（Ａ）に示された核酸プローブとハウスキーピング遺伝子が固定される。各核酸プローブは、種類毎にプローブスポットに点着によって固定されている。
図６（Ｃ）および図６（Ｄ）は、図６（Ｂ）のパターンで固定されたプローブと検体核酸とを本発明の態様に従ってハイブリダイズし、解析した結果を模式的に示す図である。図６（Ｃ）は、正常な被験者からの試料により得られる結果を示し、図６（Ｄ）には異常のある被験者からの試料により得られる結果を示す。このような結果から蛍光の有無を判定することにより、被験者において発現された遺伝子を検出することが可能である。
このようなスライドチップを使用し、発現解析を行ったチップの周囲温度や溶液組成を変更することにより、または試料中の標識核酸とプローブ近傍の温度をＴＭ（Ｍｅｌｔｉｎｇ  Ｔｅｍｐｅｒａｔｕｒｅ）値に近い条件にすることによって、各プローブの至適反応条件が達成される。それによって、これらの遺伝子の内部に生じた突然変異の解析を行うことが可能である。
図７には、異なる塩基配列を有するプローブに対して生じた蛍光スポット強度の比較を行うことにより、癌抑制遺伝子Ｐ５３の遺伝子内部に生じた突然変異を検出する場合の例を示した。図７（Ａ）には、夫々のプローブスポットに固定される核酸プローブの配列を示す。訪中の番号はプローブスポットに割り当てられた番号を示す。解析に使用したプローブは、図７（Ａ）に示されるような癌抑制遺伝子Ｐ５３に関連する複数の配列、即ち、センス、アンチセンス、ミスマッチを含むセンスおよびミスマッチを含むアンチセンスである。図７（Ｂ）には、ＤＮＡマイクロアレイに具備されるプローブスポットに割り当てた番号を、模式的に記した各プローブスポット上に示す。夫々のプローブスポットには、番号に対応するように図７（Ａ）に示された核酸プローブが固定される。各核酸プローブは、種類毎にプローブスポットに点着によって固定されている。図７（Ｃ）および図７（Ｄ）は、図７（Ｂ）のパターンで固定されたプローブと検体核酸とを本発明の態様に従ってハイブリダイズし、解析した結果を模式的に示す図である。図７（Ｃ）は、正常な被験者からの試料により得られる結果を示す。図７（Ｄ）には、以上のある被験者からの試料により得られる結果を示す。このような結果から、蛍光強度の違いによって、発現量を検出することが可能である。
以上のような遺伝子の検出と発現量の解析は、１つのＤＮＡマイクロアレイにおいて１つの試料について連続して行うことが可能である。
このように発明の装置および方法により、癌化のステージを判定したり、悪性度や転移のし易さ、または薬剤耐性の個人差などを正確に予測することが可能である。
遺伝子検査技術とコンピュータ科学の進展に伴い、現在までにすでに多くの遺伝子の異常としての発現量の変化や突然変異の種類、またはＳＮＰｓが同定されている。そしてそれらの公知の情報は、データベースとしてインターネット上で広く公開され、容易に入手が可能である。上述のように、本発明の装置および方法により得られた遺伝子検査の結果を、既に公知の情報と比較評価することにより、更に臨床的に有用な正確な判定が可能となる。例えば、アメリカ癌研究所（ＮＣＩ）により標準化された正確な転移の予測や治療指針の決定を行うことが可能になり、国や施設による判定基準の違いなどから生じる誤判定の可能性を少なくできる。将来的には、遺伝子治療を行う場合の導入遺伝子の選択においても、重要な情報を提供することが期待される。
なお、本発明は、以上で述べてきた各例による遺伝子検査装置およびそれを用いた検出方法の構造や作用を参酌することによって、次のような発明と捉えることもできる。次に示す各付記項は、本発明が、目的によっては遺伝学的検査に限定されずに、他の種々の生物学的反応（酵素反応、抗原抗体反応、代謝反応、生物学的運動動態試験等）をハイスループットで実行しモニターリングする技術として広く医療分野に提供し得る点に注目して挙げるものである。
［付記項１］  複数の微小な反応部中で実行される異なる生物学的反応をコンピュータを利用して検査する生物学的検査装置であって、
（１）  複数の微小な反応部を位置決めするための位置決め手段と、
（２）  位置決め手段の近傍に配置され、前記反応部の温度を調節するための温度調節手段と、
（３）  異なる生物学的反応が起きている２以上の反応部を視野範囲に有する撮像手段と、
（４）  前記撮像手段による同一視野内の画像情報を前記反応部毎に別々に演算する演算手段と、
（５）  反応部毎の温度と演算結果を照合して同一視野内の異なる生物学的反応結果を出力する出力手段とを
具備することを特徴とする装置。
［付記項２］  前記撮像手段が、検査すべき複数の反応部を同一視野に所望の寸法および個数で画像化するための画像拡大および／または画像縮小を行うズーム手段をさらに具備する付記項１に記載の装置。
［付記項３］  ズーム手段が顕微鏡の対物レンズ（例えば、拡大倍率が１０倍〜１０００倍、好ましくは４０倍〜４００倍）である付記項２に記載の装置。
［付記項４］  個々の反応部が複数の反応単位を含む付記項１に記載の装置。
［付記項５］  複数の反応部が同一の基板内に一体的に配置されている付記項１または４に記載の装置。
［付記項６］  前記基板が複数の反応部を囲む液体収容可能な周辺部分を有する付記項５に記載の装置。
［付記項７］  複数の反応部の開口部が同一平面上に２次元的に配置され、且つ前記反応部が、該平面を構成する２成分の方向とは異なる方向に更に延びることにより３次元的な構造を有する付記項１〜６の何れかに記載の装置。
これら、付記項１〜７に記載の本発明の態様によれば、位置的に制御された微小な複数の反応部に対して、それぞれ適切な温度調節を実行し、２以上の異なる生物学的反応に関与した複数の反応部を同時に画像化することができる。ここで、撮像手段が時間的に断続的ないし連続的な撮像を行って複数の画像を取り込むようにすれば、複数の異なる反応過程の一部または全部を同時にモニターできる。また、ズーム手段が、所望数の微小な反応部を同一視野に効率よく収めて最適な拡大倍率による画像取り込みを可能にする。また、演算手段は、反応部毎に同一視野内の反応結果を所望の出力内容に変換するのでリアルタイムにデータが処理される。また、出力手段は、同一視野内の複数の反応部からの画像データによる演算結果を、調節制御された温度情報に基づいて照合するので、複数の反応部を取り違いなく仕分けし、総括して、使用者に確認しやすい形式（例えば、印刷、画像表示およびデータ送信等によって）で出力することができる。
また、本発明の更なる態様に従えば、本発明は次のような発明と捉えることもできる。
［付記項８］  生物学的反応を二次元的に配置された流体を導入し得る開口部と、液体が通過可能な通路を有する複数の反応部で実行する二次元反応装置であって、
二次元の作用領域（例えば、複数の反応部の配置に対応するような平面またはそのような平面を有する立方体を形成している）を有する温度伝達手段と、
前記温度伝達手段を通過して液体（例えば、反応用試料、試薬、洗浄液または希釈液等）および／または気体（例えば、温風、冷風、不活化ガス、酸化防止ガス、霧状試薬または試料含有ガス等）を少なくとも１供給する複数の二次元配置された流体移送手段とを具備することを特徴とする二次元反応装置。
［付記項９］  個々の反応部が複数の反応単位を含む付記項８に記載の装置。
［付記項１０］  前記温度伝達手段に対する温度制御部と前記流体移送手段に対する流体移送制御とを作用対象（例えば、反応用試料または試薬等）の種類に応じて関連させる制御手段をさらに具備したことを特徴とする付記項８に記載の装置。
［付記項１１］  複数の反応部が同一の基板内に一体的に配置されている付記項８または１０に記載の装置。
［付記項１２］  前記制御手段が、作用領域内に存在する複数箇所に対する温度調節および流体移送を個別に制御することを特徴とする請求項１０に記載の装置。
［付記項１３］  二次元配置された反応部の開口部の集合による片面側に前記温度伝達手段および流体移送手段を配置したことを特徴とする付記項８に記載の装置。
［付記項１４］  前記温度伝達手段が、その作用領域が二次元的な平面を具備するような伝熱性の高い部材からなる反応ブロック内に、複数の管状流路からなる流体移送手段を形成してなることを特徴とする付記項８または１３に記載の装置。
付記項１４に記載の構成により、反応に必要な流体（即ち、液体および／または気体）が反応ブロック内外を移動しても、それらは、温度調節された流路内を移動するので、ＤＮＡマイクロアレイ２２に与える不都合な温度変化を防止することができる。
［付記項１５］  反応部の反応工程の前後または反応工程と同時に、反応部に関する付加的処理を実行するための付加機能手段｛例えば、撮像手段、観察用窓、反応部の把持用および／または搬送用アーム、各種センサ（例えば、液面検知および温度検知等を行う）並びに分注手段等｝と前記温度伝達手段との間に、前記二次元的に配置した複数の反応部を配置したことを特徴とする付記項８〜１４の何れか１に記載の装置。
これら付記項８〜１５に記載した本発明の態様によれば、温度伝達手段が複数の反応部と流体移送手段の温度調節をする。従って、微小な反応部のそれぞれに対する各種液体（例えば、検査試料および／または試薬等）の導入や流通が良好な反応条件で実行できる。それにより、温度制御や各種液体処理に関するコストを低減して、検査時間を短縮し、更には装置の小型化が図れる。また、生物学的反応のうち、従来、同時に配置が困難な付加機能をスペース効率よく配置でき、しかも温度伝達および／または流体移動と付加機能とを同時に動作させることができる。従って、生物学的反応の反応工程以外の工程（例えば、試料調製、反応部の交換、分注、各種検知および測定等）の一部または全てを一台の装置で自動化できる。
このような本発明の態様に従う装置を用いることによって、簡便に、且つ短時間で複数の遺伝子を検査することの出来る遺伝子検査装置および方法が提供される。また、このような装置および方法により、反応部分の溶液の状態や、温度条件を変化させながら標的遺伝子のハイブリダイゼーションの程度をリアルタイムで測定することができる。従って、この発明を用いることによって、対象遺伝子の発現の有無およびその発現量が正確に測定することが出来る。
【図面の簡単な説明】
図１は、本発明の１態様に従う装置を示す構成図である。
図２は、スライドチップの１例を示す図である。
図３は、解析手順の１例を示すフローチャートである。
図４は、反応手順の１例を示すフローチャートである。
図５は、解析方法の１例を示すフローチャートである。
図６は、Ｐ５３エクソン７の突然変異を解析するためのスライドチップの１例を示す図である。
図７は、発現量を解析するためのスライドチップの１例を示す図である。
図８は、反応ブロックの１例を示す図である。
図９は、図８に示す反応ブロックの線９−９での断面を示す図である。
【図１】
2003027673.tif 000003
【図２】
2003027673.tif 000004
【図３】
2003027673.tif 000005
【図４】
2003027673.tif 000006
【図５】
2003027673.tif 000007
【図６】
2003027673.tif 000008
【図７】
2003027673.tif 000009
【図８】
2003027673.tif 000010
【図９】
2003027673.tif 000011
【国際調査報告】
2003027673.tif 000012
2003027673.tif 000013
2003027673.tif 000014
2003027673.tif 000015